(57)【要約】【課題】常温の飲料を入れたときにも図柄を浮かび上がらせ、興趣を呼び起こさせる。【解決手段】  飲み物を受入れる器本体（２）と、器本体（２）の下方に位置し、底面（３ａ）と底面（３ａ）の周囲に立設する側面（３ｂ）とを有する台座（３）と、を備え、 器本体（２）の底壁周囲と台座（３）の側面（３ｂ）上端とが連接され、器本体（２）の底部（２ａ）は、少なくとも一部が上面半球状のレンズ（５）で形成されている構成とした。容器中に飲料が入っていないときには、底面（３ａ）の上に描かれた又は載置された写真等がはっきりと見えないが、飲料を注いだときには、それをはっきりと浮かび上がらせることができる。【選択図】図１
2018038721.tif 000002
【特許請求の範囲】
【請求項１】
飲み物を受入れる器本体と、
前記器本体の下方に位置し、底面と該底面の周囲に立設する側面とを有する台座と、を備え、
前記器本体の底部は、少なくとも一部に上面半球状のレンズを有している飲用容器。
【請求項２】
前記底部は、平面視略円形状であり、
前記レンズは、中心軸が前記底部の中心軸に対し偏心した位置に配置され、
前記台座は、前記器本体に対し回転可能に支持されている請求項１に記載の飲用容器。
【発明の詳細な説明】
【技術分野】
【０００１】
本発明は、杯・コップなどの飲用容器に関する。
【背景技術】
【０００２】
従来から、飲料の温度に応じて、色彩、図柄模様等が変化する飲用容器が知られている（例えば、特許文献１）。これらは、非変色性インキ（通常のインキ）によって特定の文字や図形を印刷し、その上に、温度に応じて色が変化をする熱変色性インキで非変色性印刷層を隠蔽したものであり、図形や色変化の妙味、意外性を付与している。
【先行技術文献】
【特許文献】
【０００３】
【特許文献１】実開平１−１２１４７４号公報
【発明の概要】
【発明が解決しようとする課題】
【０００４】
しかしながら、熱変色性インキを使用する方法では、容器内に常温よりも高温又は低温の飲料を入れなければ図柄模様等を変化させることはできなかった。
【０００５】
本発明は、上述した課題を解決するためになされたものであり、その目的は、常温の飲料を入れた時にも図柄を浮かび上がらせ、興趣を呼び起こすことにある。
【課題を解決するための手段】
【０００６】
本発明は、上述の課題を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００７】
[適用例１]
飲み物を受入れる器本体（２）と、
前記器本体（２）の下方に位置し、底面（３ａ）と該底面（３ａ）の周囲に立設する側面（３ｂ）とを有する台座（３）と、を備え、
前記器本体（２）の底部（２ａ）は、少なくとも一部に上面半球状のレンズ（５）を有していることを要旨とする。
【０００８】
［適用例２］
前記底部（２２ａ）は、平面視略円形状であり、
前記レンズ（２５）は、中心軸が前記底部（２２ａ）の中心軸に対し偏心した位置に配置され、
前記台座（２３）は、前記器本体（２２）に対し回転可能に支持されている請求項１に記載の飲用容器。
【発明の効果】
【０００９】
本発明によれば、容器中に飲料が入っていないときには、容器底面の上に描かれた又は載置された写真等がはっきりと見えないが、飲料を注いだときには、それをはっきりと浮かび上がらせることができる。これにより、飲料を飲むときの興趣を向上させることができる。
【図面の簡単な説明】
【００１０】
【図１】飲用容器１の縦断側面図である。
【図２】飲用容器１０の縦断側面図である。
【図３】飲用容器２０の縦断側面図である。
【図４】飲用容器２０の平面図である。
【図５】飲用容器２０のＡ−Ａ断面図である。
【発明を実施するための形態】
【００１１】
以下、適宜図面を参照しつつ、本発明の実施形態としての飲用容器１について説明する。
［飲用容器１の構成］
図１を用いて、まず、飲用容器１の構成について説明する。図１は、本実施形態の飲用容器１の縦断側面図である。
【００１２】
飲用容器１は、器本体２と、台座３とで構成され、全体として略回転対称形状である。
【００１３】
器本体２は、底部２ａと、上方に向かうにしたがって拡径する胴部２ｂとで構成されている。
【００１４】
台座３は、底面３ａと、底面３ａの周囲に立設する側面３ｂとで構成されている。これにより、台座３の内部には、空室３ｃが形成されている。底面３ａの上面には、写真等が載置される。
【００１５】
器本体２と台座３（底面３ａ以外）は、一体成型されている。すなわち、器本体２の底壁周囲と台座３の側面３ｂ上端とが連接されている。飲用容器１は、二重底であるともいえる。
【００１６】
器本体２の底部２ａには、台座３内部の空室３ｃに連通する孔４が形成されており、この孔４に上面が半円球状のレンズ５が嵌め込まれている。すなわち、底部２ａは、一部にレンズ５を有している。孔４は、上面と下面の直径が異なり、上面のほうが小さくなっている。
【００１７】
レンズ５は、上面（光の入射面）が半円球状で、下面は平面である。ただし、本実施形態では、下面が平面であるが、若干の凹面又は凸面とすることもできる。レンズ５は、孔４にシリコン系の接着剤で接着されている。
【００１８】
［飲用容器１の機能の説明］
上記のような構成としたため、飲用容器１を上から見ると、底面３ａの上に載置された写真等をレンズ５を通して透視することができる。しかし、容器内に飲料が入っていない状態では、空気とレンズが直接接触するため、レンズ５の拡大率が大きく、写真等に焦点距離（ピント）が合わない。このため、図柄が何であるかを確認することはできない。ところが、飲料を入れると、光の屈折率が変化し、拡大率が小さくなって焦点距離が遠くなる。そうすると、写真等に焦点距離が合い、図柄がはっきり見えるようになるのである。
【００１９】
逆にいえば、上記作用を得られるよう、レンズ５の曲率及びレンズ５と底面３ａの距離を選定しなければならない。
【００２０】
本発明に必須ではないが、底面３を着脱可能にしてもよい。そうすると、現したい絵柄や文字を簡単に変更することができる。ただし、その場合、飲用容器１の洗浄時に空室３ｃ内に水が入らないような構造とするのが望ましい。
【００２１】
［飲用容器１の使用方法］
例えば、酒が振舞われる酒席において、飲む人（酒を注いでもらう人）が飲用容器１を手にして、注ぐ人（酒を注ぐ人）に差し出して、酒を注いでもらう。
その際、酒を注ぐ前に「中に何か見える。」と聞いてもよいであろう。酒を注ぐ前は、飲用容器１を上から覗き込んでも、レンズの中の図柄が何かはわからない。
酒を注いだ後、飲用容器１を再び上方から覗き込むと、底面３ａの上面に載置された、写真等が浮かび上がり、飲む人は驚く。そして、このことが話題となって酒席を盛り上げることができる。
飲む人が外国人の場合は、富士山や寺の写真や絵、男性だけの宴会では女性の写真等出席者に応じて底面３ａの上面に載置する写真等を変えるとより効果的である。また、「愛してる。」などの文字が書かれたシール等を用いれば、愛の告白にも使用できる。
【００２２】
なお、使用方法では飲料を日本酒として説明してきたが、本飲用容器は、白ワイン、焼酎など透明な飲料であれば、用いることができる。
【００２３】
次に、飲用容器１の変形例である飲用容器１０について説明する。
［飲用容器１０の構成］
図２を用いて、飲用容器１０の構成について説明する。図２は、飲用容器１０の縦断側面図である。
【００２４】
飲用容器１０は、飲用容器１とほぼ同様の構成であるが、以下の点で異なっている。飲用容器１０は、全体がガラス製で、台座１３の底面１３ａ以外はレンズ１５も含めて一体成型されている。
【００２５】
レンズ１５以外の底部１２ａは、上面又は下面が磨ガラス状になっている。また、台座１３の側面１３ｂも外表面又は内表面が磨ガラス状になっている。これにより、底面１３ａの上面に載置された写真等が、レンズ１５以外の部分からはっきり見えないようになっている。
【００２６】
飲用容器１０の使用方法は、飲用容器１のそれと同様である。なお、本実施形態では、ガラス製としたが、透明なプラスチック製としてもよい。
【００２７】
次に、本発明の第二の実施形態としての飲用容器２０について説明する。なお、飲用容器１と同様の構成及び機能については、詳細な説明を省略する。
［飲用容器２０の構成］
図３〜５を用いて、飲用容器２０の構成について説明する。図３は、飲用容器２０の縦断側面図である。図４は、飲用容器２０の平面図である。図５は、飲用容器２０のＡ−Ａ断面図である。
【００２８】
飲用容器２０は、器本体２２と、台座２３とで構成され、全体として略回転対称形状である。
【００２９】
器本体２２は、底部２２ａと、円筒状の胴部２２ｂとで構成されている。底部２２ａの下面には下方に向かって係止部２２ｃが環状に延設されている。係止部２２ｃの上端部（底部２２ａと接する付近）には、外周面に係止溝２２ｄが形成されている。
【００３０】
台座２３は、可撓性を有する樹脂製であり、底面２３ａと、底面２３ａの周囲に立設する側面２３ｂとで構成されている。側面２３ｂの上端内側には、所定の間隔を置いて係止突起２３ｄが形成されている。底面２３ａの上面には、図５に示すように、写真等が４つ載置される。
【００３１】
上記構成により、台座２３は、器本体２２に対し回転可能に支持されている。
【００３２】
器本体２２の底部２２ａは、平面視略円形であり、台座２３内部の空室２３ｃに連通する孔２４が形成されている。この孔２４は、中心軸が底部２２ａの中心軸に対し偏心した位置に配置されている。そして、この孔２４に上面が半円球状のレンズ２５が嵌め込まれている。レンズ２５は、下面が緩やかな凸レンズになっている。
【００３３】
［飲用容器２０の機能の説明］
レンズ２５の下面が凸レンズになっていることから、底面２３ａ上の写真等が拡大されて見える。すわなち、レンズ２５の外径よりも小さい写真等を載置しても、レンズ２５の外径一杯の写真等に見える。これにより、載置する写真等を小さくすることができるため、底面２３ａ上に写真等を４つ載置することができるようになったのである。細密な写真等であれば、さらに多く載置することも可能である。
また、台座２３が器本体２２に対し回転可能に支持されていることから、４つの写真等を楽しむことができる。
【００３４】
［飲用容器２０の使用方法］
もちろん、飲用容器１と同様の使用方法も可能であり、４つの写真等を楽しむことができることから、より興趣が増す。
しかし、４つの写真等の中からどれか一つを選ぶのは、注ぐ人や宴の主催者だけでなく、飲む人も可能であるということを利用すれば、例えば、おみくじのようなものに使用することもできる。
飲用容器２０は、台座２３を取り外して洗浄することができる。
【００３５】
以上、実施形態に基づき本発明について説明してきたが、上記した発明の実施の形態は、本発明の理解を容易にするためのものであり、本発明を限定するものではない。例えば、飲用容器２０の例でいえば、レンズ２５と写真等が重なる位置で手応えを生ずるようにすることもできるし、レンズ２５の中心軸を垂直方向から傾け、写真等もそれに合わせてレンズ２５の中心軸と垂直に載置することもできる。また、台座２３を器本体２２に対し回転可能に支持する方法は、多数の公知技術が知られており、適宜選択すればよい。
すなわち、本発明は、その趣旨並びに特許請求の範囲を逸脱することなく、変更、改良され得ると共に、本発明にはその等価物が含まれる。
【符号の説明】
【００３６】
１…飲用容器
２…器本体    ２ａ…底部    ２ｂ…胴部
３…台座    ３ａ…底面    ３ｂ…側面    ３ｃ…空室
４…孔
５…レンズ
１０…飲用容器
１２…器本体    １２ａ…底部    １２ｂ…胴部
１３…台座    １３ａ…底面    １３ｂ…側面    １３ｃ…空室
１４…孔
１５…レンズ
２０…飲用容器
２２…器本体
２２ａ…底部    ２２ｂ…胴部    ２２ｃ…係止部    ２２ｄ…係止溝
２３…台座
２３ａ…底面    ２３ｂ…側面    ２３ｃ…空室    ２３ｄ…係止突起
２４…孔
２５…レンズ
【図１】
2018038721.tif 000003
【図２】
2018038721.tif 000004
【図３】
2018038721.tif 000005
【図４】
2018038721.tif 000006
【図５】
2018038721.tif 000007